【事件の表示】
　特願２０００−１４４４５７「ＤＶＤ一体型液晶テレビ」拒絶査定不服審判事件〔平成１３年１１月３０日出願公開、特開２００１−３３２０７４〕について、次のとおり審決する。
【結　論】
　本件審判の請求は、成り立たない。
【理　由】
１．手続の経緯・本願発明
　本願は、平成１２年５月１７日の出願であって、その請求項１に係る発明（以下、「本願発明」という。）は、特許請求の範囲の請求項１に記載された、次のとおりのものであると認める。
　
「前キャビネットと後キャビネットで構成した筐体の内部に前記液晶パネルユニットを収納するとともに、該液晶パネルユニット下部にＤＶＤを配置して、液晶パネルユニットとＤＶＤとを一つの筐体に一体化させたＤＶＤ一体型液晶テレビであって、
　前記液晶パネルユニットの背面部にＴＶ基板を、該ＴＶ基板と前記液晶パネルユニットとの隙間が下部より上部にかけて小さくなるよう近接して取り付け、そして、前記後キャビネットを前記液晶パネルユニットに対して傾斜させ、更に、前記筐体の上部に複数の排気孔、及び下部に複数の吸気孔をそれぞれ設けるとともに、上部に設けた複数の排気孔の総開口面積が下部に設けた複数の吸気孔の総開口面積より大きくし、また、前記筐体を保持して前記液晶パネルユニット及びＤＶＤの回転、傾斜を可能とするスタンドを有することを特徴とするＤＶＤ一体型液晶テレビ。」
　
　
２．引用例
（１）当審において平成１９年５月１８日付けで通知した拒絶の理由（以下、「当審拒絶理由」という。）で引用した特開平１０−２２２２４４号公報（以下、「引用例１」という。）には、デスクトップ型コンピュータに関して、以下の記載がある（なお、下線は当審で付与した。引用例の記載に関しては以下同様。）。
ア．「【０００８】図１，図２において、
１は本体部、２は本体部１を支持するスタンド部であり、３は本体部１の外筐体をなすケーシング
【０００９】図１に示すように、本体部１の前面側には液晶ディスプレイ装置４が配設されており、液晶ディスプレイ装置４の上側中央にはマイク５が配設されている。また、
液晶ディスプレイ装置４の下側中央には、本体部１内に内蔵されたフロッピーディスクドライブのディスク出し入れ口６が水平方向に配設されており、このディスク出し入れ口６の下側には、本体部１内に内蔵されたＣＤ−ＲＯＭドライブのディスク出し入れ口７が水平方向に配設され
　
イ．「【００１１】裏面から見た図２より明らかなように、その
前面を略平坦とした本体部１のケーシング３は、裏面中央がややふくらんだ薄箱形状の上部ケーシング３ａと、その裏面側を上方にいくに従って漸次断平面面積が小さくなるような概略半円錐面形状とした、下部ケーシング３ｂとからなっている。
上部ケーシング３ａの裏面の上部には複数の放熱穴１５が穿設されている。
　
ウ．「【００１３】図２に示すように、
スタンド部２は、本コンピュータ全体の重量を安定して支える
【００１４】図３は本実施形態の
デスクトップ型コンピュータ
ケーシング３の前面には液晶ディスプレイ装置４（液晶ディスプレイ素子４ａおよび液晶保護ガラス４ｂ）が配設されており、液晶ディスプレイ装置４の裏面側には、液晶ディスプレイ装置４と平行かつ近接してメインシャシー２３が配設されており、このメインシャシー２３の後側には、メインシャシー２３と平行かつ近接して、本コンピュータの主機能を搭載したメイン基板２４が配設され
【００１５】このように、
液晶ディスプレイ装置４とメイン基板２４とを平行に配設すると、従来のメイン基板を水平配置する構成に比して、装置全体の奥行き寸法を小さくでき、特に本実施形態においては、上部ケーシング３ａの厚み寸法（奥行き寸法）Ｔ１が可及的に薄型化でき、また、上部ケーシング３ａ部分の重量も軽量化できる。したがって、装置全体でみるとその上部が軽量であるので、装置全体を力学的に安定
　
エ．「【００１７】このように、フロッピーディスクドライブ２８より大きいＣＤ−ＲＯＭドライブ２７を、下部ケーシング３ｂ内の下側に水平配置し、その上に、ＣＤ−ＲＯＭドライブ２７より小さいフロッピーディスクドライブ２８を水平配置し、その上に、内蔵ディスクドライブとしての大容量のハードディスクドライブ２９を、縦置きに配置することにより、前記したように、
その裏面側を上方にいくに従って漸次断平面面積が小さくなるような概略半円錐面形状とした、下部ケーシング３ｂ内に効率よく、各ディスクドライブ２７，２８，２９を収納することが可能となり、また、力学的にもバランスのよい
下部ケーシング３ｂの最大奥行き寸法Ｌ２も、ＣＤ−ＲＯＭドライブ２７の奥行き寸法よりもやや大きい、小さな値とすることが可能
　
オ．「【００２０】
保持台部２ｂの上面とケーシング３（下部ケーシング３ｂ）の底面奥方側とは、ヒンジ部３５，３６によって結合されていて、本実施形態では、スタンド部２の保持台部２ｂに対して、ケーシング３（本体部１）が、チルト動作（前後方向の首振り動作）並びにスイング動作（左右方向の首振り動作）が可能である
　
カ．「【００３６】カバー１８が開放ないし取り外された状態において、カードスロット部２５には各種ＩＣカードが装着可能となり、図１０〜図１３に示した本例では、カメラ部４６ａ付きのＩＣカード４６がカードスロット部２５に装着されている。このようなカメラ部４６ａ付きのＩＣカード４６は、映像処理の主体を本実施形態のようなコンピュータ等に担わせることによって、近い将来には実現可能と思われ、このカメラ部４６ａ付きのＩＣカード４６を用いることによって、オペレータの自画像などが撮像可能となり、
テレビ電話
　
キ．「【００４４】以上述べたように、本実施形態においては、
薄型で軽量であるという液晶ディスプレイ装置のもつ特性を充分に活かして、表示装置を含めたデスクトップ型コンピュータシステム全体を薄型・コンパクト
　
ク．図３には、液晶ディスプレイ装置４の下側にＣＤ−ＲＯＭを収納し、下部奥行きが寸法が上部より大きい本体部１の形状と、液晶ディスプレイ装置４とメイン基板２４との間の空間が平行であることが示されている。
　
　上記「ア．」乃至「ク．」の摘記事項及び図面を参照すると、引用例１には、デスクトップ型コンピュータについて、次の発明（以下、「引用発明」という。）が記載されている。
「本体部の外筐体をなすケーシングを、前面を略平坦とし、裏面側を裏面中央がややふくらんだ薄箱形状の上部ケーシングと上方にいくに従って漸次断平面面積が小さくなるような概略半円錐面形状の下部ケーシングとで形成し、
　前記ケーシングの前面に液晶ディスプレイ装置を配設し、
　前記液晶ディスプレイ装置の下側にＣＤ−ＲＯＭドライブを水平に配設したデスクトップ型コンピュータであって、
　前記液晶ディスプレイ装置の裏面側に、該液晶ディスプレイ装置と平行かつ近接してメインシャシーを配設し、前記メインシャシーの後側に平行かつ近接してメイン基板を配設し、
　前記上部ケーシングの裏面の上部には複数の放熱穴を穿設したデスクトップ型コンピュータにおいて、
　前記ケーシングがスタンド部に対し前後方向並びに左右方向の首振り動作を可能とするヒンジ部を、前記ケーシングの底面奥方側に有するデスクトップ型コンピュータ。」
　
（２）同じく当審拒絶理由で引用した特開平１１−４３９０号公報（以下、「引用例２」という。）には、ＤＶＤ一体型テレビジョン受像機に関して、以下の記載がある。
ケ．「【請求項２】  ＤＶＤまたはＶＩＤＥＯまたはＣＤの内いずれか一つのディスクが再生状態から静止または一時停止の内いずれか一方の状態になり、該状態が予め設定した時間以上続いた場合、ディスク再生を停止させる手段を備えたことを特徴とする請求項１記載の
ＤＶＤ一体型テレビジョン受像機
　
（３）同じく当審拒絶理由で引用した特開２０００−５０２０３号公報（平成１２年２月１８日公開。以下、「引用例３」という。）には、テレビジョン受像機に関して、以下の記載がある。
コ．「【０００９】請求項３の発明は、複数のテレビジョン信号の入力を有し、
記録または記録再生装置（ＶＴＲ、ＭＤ、ＤＶＤ等）を内蔵したテレビジョン受像機
　
（４）同じく当審拒絶理由で引用した実願昭５８−６５６９９号（実開昭５９−１７１４６８号）のマイクロフィルム（以下、「引用例４」という。）には、テレビ受像機に関して、以下の記載がある。
サ．「（１）
キャビネットに収容されたブラウン管の後部空間に駆動部を備えるテレビ受像機
　
シ．「この考案の構成を添付した図面の第３図に示す実施例について説明する。先ず、この図において符号１０はキャビネットを示し、このキャビネット１０は底板１１と、この底板１１の側面、背面、上面を被う上部キャビネット１２によって形成されており、このキャビネット１０中にはブラウン管１３が収容され、このブラウン管１３の後方には駆動部を収容する空間Ｋが形成されている。
ブラウン管１３の周囲、とくに、上部キャビネットとの間には間隙１２ａが形成されていて、この間隙１２ａは前記空間Ｋと連続している。
　
ブラウン管１３の後方の空間Ｋに対応する底板１１には複数の通気孔１４が穿けられており、外部と空間Ｋとは連通状態になっている。
発熱部１５を２面方向から囲むようにプリント配線基板１６が取付けられている。プリント配線基板１６は底板１１に対して略垂直な面に沿って配置されており、発熱部１５に対してプリント配線基板１６で囲まれた空間がチムニ（煙突）となっている。
　さらに、
上部キャビネット１２のうちブラウン管の前面寄りの平面部分に前記間隙１２ａと外部とを連通する開口１７が穿けてある
　この考案のテレビ受像器は上述のような構成であるので、発熱部１５が高温になると上昇気流が生じ、プリント配線基板１６で形成されるチムニで確実、かつ、盛んに上昇気流が生じ、これが、ブラウン管１３と、上部キャビネット１２との間の間隙１２ａに流入し、開口１７から放出される。
上昇気流の発生に伴って通気孔４から外部の冷たい空気がキャビネット１０内に流入して発熱部１５を冷却し、上部キャビネット前部の開口１７から放出されて冷却作用が旺盛に行われる
　
ス．図３の概略側断面図には、ブラウン管１３の周囲に下部より上部にかけて狭くなる間隙１２ａを形成し、ブラウン管１３の後方で傾斜した部分を有する上部キャビネット１２のテレビ受像機が示されている。
　
（５）同じく当審拒絶理由で引用した特開平８−５６３１７号公報（以下、「引用例５」という。）には、ディスク装置を内蔵した映像機器に関して、以下の記載がある。
セ．「【００５４】図７は、ＬＣＤもしくはＣＲＴ方式ＰＪＴＶ（投射型テレビジョン受像器）１９の全体図であり、前面の中部から上部にかけてスクリーン１８があり、前面の下部には音声出力スピーカユニット７がある。正面に向かって両わき下部には、ＰＪＴＶの空きスペースを利用して、ディスク装着用収納部８，ディスク挿入口１０及びディスク装着ボタン１１がそれぞれ２対設置されている。」
　
ソ．図７には、前面のスクリーンに対して、後面が傾斜しているＰＪＴＶ（投射型テレビジョン受像器）１９が示されている。
　
　
３．対　比
　本願発明と引用発明とを対比する。 
　引用発明の「ケーシング」は、「本体部の外筐体をなす」点において本願発明の「筐体」と一致する。
　引用例１には、「ケーシング」が、「前キャビネットと後キャビネットで構成した」点について明記はないが、液晶ディスプレイ装置、メインシャーシ、及びメイン基板等の平板状の要素をケーシング内に収納した構造とするには、ケーシングが前後の部分に分割されて、前記各要素を前記ケーシングの前後の各部分に取り付けた後にケーシングの前後の各部分を合体し、１つのケーシング（筐体）とすることが普通である（例えば特開平９−１６８１２７号公報、以下「周知例１」という。）から、引用発明の「略平坦な前面」を本願発明の「前キャビネット」に相当するケーシングの前側の部分とし、「裏面中央がややふくらんだ薄箱形状の上部ケーシングと上方にいくに従って漸次断平面面積が小さくなるような概略半円錐面形状とした下部ケーシングとで裏面側とを形成した」部分を、本願発明の「後キャビネット」に相当するケーシングの後側の部分とすることは、記載されているに等しい事項ないしは当業者において自明な事項にすぎないものである。
　引用発明の「液晶ディスプレイ装置」は、本願発明の「液晶パネルユニット」に相当するから、引用発明において、「ケーシングの前面に液晶ディスプレイ装置を配設し」ていることは、本願発明において「筐体の内部に液晶パネルユニットを収納」したことに相当する。
　引用発明の「ＣＤ−ＲＯＭドライブ」と本願発明の「ＤＶＤ」は、ディスクを記録又は再生するディスクドライブである点で共通するから、引用発明において、「液晶ディスプレイ装置の下側にＣＤ−ＲＯＭドライブを水平に配設」したことと、本願発明の「液晶パネルユニット下部にＤＶＤを配置」こととは、「液晶パネルユニット下部に（ディスクドライブ）を配置」した点で一致する。
　そして、引用発明においても、「液晶パネルユニットと（ディスクドライブ）とを一つの筐体に一体化させた」とすることができるものである。
　
　引用発明の「デスクトップ型コンピュータ」と本願発明の「液晶テレビ」とを比較すると、いずれも液晶パネルを表示装置として用いる電子機器であって、「液晶装置」という点で共通するものである。
　
　引用発明の「液晶ディスプレイ装置の裏面側に、該液晶ディスプレイ装置と平行かつ近接してメインシャシーを配設し、このメインシャシーの後側に平行かつ近接してメイン基板を配設させ」ていることは、本願発明の構成と比較して、「液晶パネルユニットの背面部に」「基板を」、「該基板と液晶パネルユニットとの隙間が」「小さくなるように近接して取り付け」との点において共通する。
　引用発明の「上部ケーシングの裏面の上部には複数の放熱穴を穿設」していることは、複数の放熱穴が「外筐体」の上部に設けられた点において、本願発明の「筐体の上部に複数の排気孔」を設けたことに相当し、引用発明の「放熱穴」は、本願発明の「排気孔」に相当する。
　
　引用発明が「ケーシングがスタンド部に対し前後方向並びに左右方向の首振り動作を可能とするヒンジ部を、ケーシングの底面奥方側に有する」点は、本願発明において「筐体を保持して液晶パネルユニット及び」ディスクドライブ「の回転、傾斜を可能とするスタンドを有する」ことに相当する。
　
　そうすると、本願発明と引用発明は、次の一致点と相違点を有する。
〈一致点〉
「前キャビネットと後キャビネットで構成した筐体の内部に液晶パネルユニットを収納するとともに、該液晶パネルユニット下部に（ディスクドライブ）を配置して、液晶パネルユニットと（ディスクドライブ）とを一つの筐体に一体化させた（ディスクドライブ）一体型液晶（装置）であって、
　前記液晶パネルユニットの背面部に基板を、該基板と前記液晶パネルユニットとの隙間が下部より上部にかけて近接して取り付け、
　そして、前記筐体の上部に複数の排気孔を設け、
　また、前記筐体を保持して前記液晶パネルユニット及び（ディスクドライブ）の回転、傾斜を可能とするスタンドを有する（ディスクドライブ）一体型液晶（装置）。」
〈相違点〉
（１）ディスクドライブ一体型液晶装置に関し、本願発明は、「ＤＶＤ」を一体化した「ＤＶＤ一体型液晶テレビ」と特定し、液晶パネルユニットの背面部に取り付けた基板を「ＴＶ基板」と特定するのに対して、引用発明は、「ＣＤ−ＲＯＭドライブ」を水平配設した「デスクトップ型コンピュータ」であって、「メイン基板」を取り付けている点。
（２）本願発明は、ＴＶ基板と液晶パネルユニットとの隙間に関し、下部より上部にかけて「小さくなる」と特定しているのに対し、引用発明では、液晶ディスプレイ装置とメイン基板とは平行である点。
（３）後キャビネットに関し、本願発明は、「液晶パネルユニットに対して傾斜させ」と特定しているのに対して、引用発明は、「裏面中央がややふくらんだ薄箱形状の上部ケーシングと上方にいくに従って漸次断平面面積が小さくなるような概略半円錐面形状の下部ケーシングとで形成」している点。
（４）本願発明では、筐体の「下部に複数の吸気孔」を「設けるとともに、上部に設けた複数の排気孔の総開口面積が下部に設けた複数の吸気孔の総開口面積より大きくし」たことを特定しているのに対して、引用発明では、このように特定されていない点。
　
　
４．当審の判断 
　そこで、上記相違点について検討する。
　
相違点（１）について
　テレビ受像機とコンピュータの表示装置とは、動画像を含む表示手段を備えたものである点で近接した技術分野に属するものである。
　例えば引用例２には、ＤＶＤ一体型テレビジョン受像機が記載され、引用例３には、ＤＶＤを内蔵したテレビジョン受像機が記載されており、他にも、例えば前記周知例１に液晶テレビ装置が記載され、特開平９−２３８２９３号公報（以下、「周知例２」という。）には、液晶表示装置がノートパソコンすなわちコンピュータ及び小型テレビ等に用いられることが記載されているように、液晶ディスプレイ装置（液晶パネルユニット）は、テレビジョン信号用の映像表示手段、ＤＶＤ再生の表示手段、及びコンピュータの表示手段として、周知のものにすぎない。
　すると、引用発明において、液晶ディスプレイ装置をＤＶＤ再生やテレビジョン信号受信の際の表示手段として利用すると共に、薄型で軽量であるという液晶ディスプレイ装置のもつ特性を活かして、液晶ディスプレイ装置の背面部にＴＶ基板を取り付けて、ＤＶＤ一体型液晶テレビとすることは、引用例２，３の記載及び前記各周知例に基づいて、当業者が容易に想到しうるものである。
　
相違点（２）及び（３）について
　引用例４の３図には、ブラウン管の前面に対し、傾斜した曲線形状の上部キャビネットで後方が形成されたテレビ受像機の形状が示され、引用例５の図７には、前面に対して後部が傾斜した投射型テレビジョン受像機が示されており、さらには、例えば特開平１１−３３８３７２号公報（以下、「周知例３」という。図１１、図１２に示された本体１０００の形状参照）等によれば、テレビ受像器の後部を傾斜した形状とすることは何ら格別のものでないことが明らかである。
　引用発明においては、厚み寸法が可及的に薄型化された上部ケーシングと、ＣＤ−ＲＯＭドライブの奥行き寸法よりもやや大きい程度の最大奥行寸法の下部ケーシングとで、外筐体の裏面側のケーシングとすることで、該外筐体の形状を上部より下部奥行き寸法を大きくしているのであるから、裏面側のケーシングを薄い上部から奥行きの大きい下部にかけて傾斜させることは、前記各引用例及び周知例の筐体形状を参照することで当業者が容易に想到しうるものであり、基板についても、例えば特開平７−４３７０９号公報（図３のインバータ基板８参照）又は特開平１０−２１４０３６号公報（図１のＬＣＤセル１と回路基板４参照）に示されるように、液晶表示装置において、液晶パネルユニットと回路基板とを平行に配置する必然性はないことが明らかであるから、裏面側のケーシングを傾斜させた場合には、当該傾斜に対応させて、基板と液晶パネルユニットとの「隙間が下部より上部にかけて小さくなる」ように回路基板も傾斜させることは、当業者が適宜なしうることにすぎない。
　
相違点（４）について
　引用例４には、発熱部に対応して開口された下方の底板の複数の通気孔から流入した外部の冷たい空気が、発熱部を冷却して、上部キャビネットの開口から放出されるように、発熱部周囲空間を略垂直に配置されたプリント配線基板で囲む煙突に形成し、該発熱部を囲む空間に連続して上部キャビネットとの間に下部より上部にかけて次第に狭くなる間隙を形成したテレビ受像機が記載されている。
　また、前記周知例２にも（第７６段〜から７９段、及び図１０参照）同様の開示があり、バックカバー下面に設けた穴から吸い込まれた空気が、バックカバーの「空気が吸い込まれる下面の奥行き寸法を大きくし、そして排気される上面の寸法を小さくなるように構成したために、液晶ユニット１内に吸い込まれた空気は、外液晶ユニット内にこもることがなく自然に上昇し、放熱効率の良好な装置を提供することができる。」等と記載され、前記周知例３にも、「本体１０００の背面の上部に複数の小穴からなるパンチング状の第１の通気口１０４０を設け、本体１０００の底面の両側後方に第２の通気口１０４１と第３の通気口１０４２を設けている。（第５４段落、図３参照）」と記載されている。
　すると、筐体の「下部に複数の吸気孔」を設けることは、前記引用例４及び周知例２、３に示されるように周知事項にすぎないものであって、引用発明においても、ケーシング下部に複数の吸気孔を設けることは当業者が容易に想到しうるものである。
　次に「上部に設けた複数の排気孔の総開口面積が下部に設けた複数の吸気孔の総開口面積より大きくし」た点について検討すると、発熱部を冷却する空気が下部から流入して上部へ排気されるようにした場合には、吸気口及び排気口それぞれの総面積が大きくなれば吸排気量が大きくなり、放熱効率が上がることは当然のことであるから、排気孔の総面積をできるだけ大きくすることで結果的に吸気孔の総面積より大きくなった場合には、排気孔の総面積がより小さい場合に比べて放熱効率が上がることも当然のことにすぎない。しかしながら、例えば、あえて吸気孔の総面積を小さくして排気孔の総面積よりも小さくした場合には、吸気孔の総面積が大きい場合に比べて放熱効率が下がると予測される。
　すると、排気孔と吸気孔のそれぞれの総面積自体を特定することなく、単に排気孔の総面積と吸気孔の総面積との大小関係を特定したことによる作用効果は、自明なものでもなく、また、理論やデータによっても明らかにされていないから、結局、不明という他ない。
　排気孔と吸気孔との各総面積は、当業者による通常の制作過程にすぎないケーシングの設計によって自ずと決まることにすぎないから、排気孔及び吸気孔の各総面積の大小関係も当該設計に応じて自ずと決まることであって、排気孔の総面積が吸気孔の総面積より大きい場合も当該設計の一つの場合にすぎない。
　以上のことからすると、格別の作用効果も明らかにされずに「上部に設けた複数の排気孔の総開口面積が下部に設けた複数の吸気孔の総開口面積より大きくし」とすることは、単なる設計事項にすぎないものである。
　
　そして、上記各相違点を総合的に判断しても、本願発明が奏する効果は、各引用例の記載及び周知技術から、当業者が十分に予測できたものであって、格別のものとはいえない。
　
　
５．むすび 
　以上のとおり、本願発明は、引用例１乃至５に記載された発明及び周知事項に基づいて当業者が容易に発明をすることができたものであるから、特許法第２９条第２項の規定により特許を受けることができない。
　よって、結論のとおり審決する。